(57)【要約】【課題】  安価で収納スペースを必要とせず、可搬性に優れたカメラ用の撮影台を提供する。【解決手段】  デジタルカメラ１２を載置するための上部部材１と、被写体を載置するための台紙部８を有し上部部材１を支持するための下部部材６とを組み付けてなる撮影台であって、上部部材１及び下部部材６は平板状の材料を折り曲げて形成されており、上部部材１及び下部部材６が着脱自在である。【選択図】  図１
2006235498.tif 000002
【特許請求の範囲】
【請求項１】
カメラを載置するための上部部材と、被写体を載置するための台紙部を有し前記上部部材を支持するための下部部材とを組み付けてなるカメラ用の撮影台であって、
前記上部部材及び前記下部部材は平板状の材料を折り曲げて形成されており、該上部部材及び下部部材が着脱自在であることを特徴とするカメラ用の撮影台。
【請求項２】
前記上部部材は、前記カメラに画像光を入射させるためのレンズ用貫通穴を備えることを特徴とする請求項１記載のカメラ用の撮影台。
【請求項３】
前記上部部材は、前記カメラが発するフラッシュ光を被写体に到達させるためのフラッシュ用貫通穴を備えることを特徴とする請求項１又は２記載のカメラ用の撮影台。
【請求項４】
前記上部部材は、前記カメラの表面の突起を収容する開口又は凹みを有し、前記上部部材に載置された前記カメラが前記下部部材と平行に保持されることを特徴とする請求項１から３のいずれか１項記載のカメラ用の撮影台。
【請求項５】
前記上部部材は、前記カメラが所定の位置に載置されるように案内する位置決め部材を備えることを特徴とする請求項１から４のいずれか１項記載のカメラ用の撮影台。
【請求項６】
前記下部部材は、前記台紙部に、被写体を所定の位置に載置するための位置決めマークが設けられていることを特徴とする請求項１から５のいずれか１項記載のカメラ用の撮影台。
【請求項７】
前記下部部材は、前記台紙部を挟んで対向する一対のヒンジ部を有し、該ヒンジ部に前記上部部材が取り付けられることを特徴とする請求項１から６のいずれか１項記載のカメラ用の撮影台。
【請求項８】
前記上部部材とそれぞれの前記ヒンジ部とは、少なくとも２の辺を介して当接することを特徴とする請求項７記載のカメラ用撮影台。
【請求項９】
前記上部部材を取り付けた状態の前記ヒンジ部の先端部同士の間隔は、該ヒンジ部の根本部同士の間隔よりも小さいことを特徴とする請求項７又は８記載のカメラ用撮影台。
【請求項１０】
前記上部部材は、該上部部材及び前記ヒンジ部の一方に設けられた凸部と、他方に設けられ該凸部が挿入される穴との対を少なくとも一対用いて前記ヒンジ部に取り付けられることを特徴とする請求項７から９のいずれか１項記載のカメラ用の撮影台。
【請求項１１】
前記カメラは、画像光に応じたデジタル画像データを撮像素子によって生成するデジタルカメラであることを特徴とする請求項１から１０のいずれか１項記載のカメラ用の撮影台。 
【発明の詳細な説明】
【技術分野】
【０００１】
本発明は、画像や文字を撮像する際にカメラを保持するために用いる撮影台に関し、特に、文書や写真といった細密な原稿や立体物をも撮像できるようにカメラを保持する撮影台に関する。
【背景技術】
【０００２】
近年のデジタルカメラは高性能化が進んでおり、絵画や習字原稿の撮影のみならず文書や写真といった細密な原稿の撮影にも用いることが可能である。
【０００３】
絵画や習字などをデジタルカメラで手持ち撮影する場合には、被写体に対して斜めから撮影してしまうと（撮像素子の結像面に対して画像光が垂直に入射しないと）、被写体（原稿）が台形に変形したり、曲がったりした状態の画像データが得られてしまう。
【０００４】
また、細部を正確に撮像するためには、絞りを細くして露光時間を長くする必要があるため、実際には手ぶれなどが発生しやすくなるという問題がある。
【０００５】
このような問題は、デジタルカメラに限らず、フィルムカメラ（銀塩カメラ）についても同様に発生する。
【０００６】
このため、長時間の露光を必要とする場合には、カメラを支持、固定するための“撮影台”と呼ばれる部材が用いられている。
【０００７】
従来技術による撮影台としては、特許文献１に開示される「小型ＣＣＤカメラ用スタンド」がある。特許文献１に開示される発明は、三枚のプレート状の部材を二つのヒンジを介して直列に連結し、連結したプレートを略コの字状に折り曲げることによって、一端のプレート上に搭載したＣＣＤカメラと他端のプレートとを所定間隔に保つものである。
【特許文献１】特開２００２−１３５６３８号公報
【発明の開示】
【発明が解決しようとする課題】
【０００８】
しかし、特許文献１に開示される発明は、三枚のプレートをヒンジで連結しているため、部品の加工が難しく、製造コストが高くなってしまう。さらに、組み立て作業にも時間がかかる上に、収納にもスペースを必要とする。
また、片持ち状態のプレートでＣＣＤカメラを支持しなければならないため、プレートには高い剛性が要求される。よって、高価な材料を使用しなければならず、製造コストが高騰してしまう。プレートを厚くすれば安価で剛性が低い材料を使用することもできるが、この場合にはスタンドが大きく・重くなるため可搬性が低くなってしまう。
【０００９】
すなわち、従来の撮影台は高価であるだけでなく、収納などのスペースを必要とし、可搬性に劣るという問題があった。
【００１０】
本発明は係る問題に鑑みてなされたものであり、安価で収納スペースを必要とせず、可搬性に優れたカメラ用の撮影台を提供することを目的とする。
【課題を解決するための手段】
【００１１】
本発明は、上記目的を達成するために、カメラを載置するための上部部材と、被写体を載置するための台紙部を有し上部部材を支持するための下部部材とを組み付けてなるカメラ用の撮影台であって、上部部材及び下部部材は平板状の材料を折り曲げて形成されており、該上部部材及び下部部材が着脱自在であることを特徴とするカメラ用の撮影台を提供するものである。
【００１２】
本発明においては、上部部材は、カメラに画像光を入射させるためのレンズ用貫通穴を備えることが好ましい。また、上部部材は、カメラが発するフラッシュ光を被写体に到達させるためのフラッシュ用貫通穴を備えることが好ましい。また、上部部材は、カメラの表面の突起を収容する開口又は凹みを有し、上部部材に載置されたカメラが下部部材と平行に保持されることが好ましい。また、上部部材は、カメラが所定の位置に載置されるように案内する位置決め部材を備えることが好ましい。また、下部部材は、台紙部に、被写体を所定の位置に載置するための位置決めマークが設けられていることが好ましい。また、下部部材は、台紙部を挟んで対向する一対のヒンジ部を有し、該ヒンジ部に上部部材が取り付けられることが好ましく、これに加えて、上部部材とそれぞれのヒンジ部とは、少なくとも２の辺を介して当接することが好ましい。
【００１３】
上記のヒンジ部を備えた構成においては、上部部材を取り付けた状態のヒンジ部の先端部同士の間隔は、該ヒンジ部の根本部同士の間隔よりも小さいことが好ましい。また、上部部材は、該上部部材及びヒンジ部の一方に設けられた凸部と、他方に設けられ該凸部が挿入される穴との対を少なくとも一対用いてヒンジ部に取り付けられることが好ましい。
【００１４】
上記のいずれの構成においても、カメラは、画像光に応じたデジタル画像データを撮像素子によって生成するデジタルカメラであることが好ましい。
【発明の効果】
【００１５】
本発明によれば、安価で収納スペースを必要とせず、可搬性に優れたカメラ用の撮影台を提供できる。
【発明を実施するための最良の形態】
【００１６】
図１（ａ）に、本発明の好適な実施の形態にかかる撮影台の構成を示す。材料としては軽量かつ高剛性であることが好ましい。例えば、段ボール（紙、プラスチックのいずれも可）は、重量に比して剛性が高いため撮影台の材料として好ましい。
【００１７】
撮影台は上部部材１と下部部材６とで構成されており、図１（ｂ）に示すように収納の際には折りたたんで平らな状態にできる。
【００１８】
上部部材１には、カメラ位置決め部材２、レンズ用貫通穴３、フラッシュ用貫通穴４及びカメラ凸部吸収穴・凹み５を備えている。カメラ位置決め部材２は、デジタルカメラを上部部材１の所定の位置に固定するための部材であり、上部部材１の表面に設けられている。カメラ位置決め部材２は、上部部材１の表面を隆起させたものでも良いし、別の部材を取り付けても良い。レンズ用貫通穴３は、画像光をデジタルカメラに取り込むための穴である。フラッシュ用貫通穴４は、フラッシュ光を被写体に照射するための穴である。カメラ凸部吸収穴・凹み５は、デジタルカメラを上部部材１の上面と平行に保つための穴又は凹みであり、デジタルカメラの正面の凸部に対応して設けられている。
【００１９】
下部部材６はヒンジ７、台紙８、位置決めマーク９を備えている。ヒンジ７は上部部材１、ひいてはデジタルカメラを支持するための部材である。ヒンジ７は、台紙８と一体に形成されていても良いし、台紙８とは別個の部材を接着やはめ込みなどで取り付けても良い。台紙８は被写体を載置するための部材である。位置決めマーク９は台紙８の所定の位置に設けられており、被写体の位置決めの際に用いられる。なお、台紙８には、画像識別のための作品名や作者名などの情報を文字、数字又はバーコードとして書き込んでおいても良い。
【００２０】
上部部材１及び下部部材６は、容易に加工できる単純な形状であるため、製造コストを低減できる。
【００２１】
図２に、撮影台を組み立てる手順を示す。組み立ての際には、ヒンジ７を立ち上げる（図２（１）、（２））。立ち上げたヒンジ７に上部部材１を組み付ける（図２（３））。そして、ヒンジ７の側面に沿って上部部材１を折り曲げる（図２（４））。なお、図１（ａ）に示したように、ヒンジ７の先端部同士の間隔ａは、ヒンジ７の根本部同士の間隔ｂよりも狭い（ａ＜ｂ）ことが好ましい。
図３に示すように、上部部材１の周縁部及びヒンジ７の側面のいずれか一方には凸部が、他方には切り込みが形成されており、凸部と切り込みとが嵌合することによって、両者が固定され組み立てが完了する。なお、図３（ａ）は、ヒンジ７に凸部を、上部部材１に切り込みを形成した場合であり、図３（ｂ）は、ヒンジ７に切り込みを、上部部材１に凸部を形成した場合である。
【００２２】
撮影台の組み立ては容易に行えるため、製造時には組み立ての工程が不要となる。よって、作業工数を減らし製造コストを低減できる。
【００２３】
組み立てが完了した撮影台の上部部材１にデジタルカメラを載置する（図２（５））ことによって、所定の距離で歪みの無い画像を撮影できる。
【００２４】
また、上部部材１はフラッシュ用貫通穴４を備えているため、被写体に対してフラッシュ光を照射して照明することも可能である。
【００２５】
このように、本実施形態に係る撮影台は、安価である上、軽量で可搬性に優れる。
【００２６】
なお、上記実施形態は本発明の好適な実施の一例であり、本発明はこれに限定されることはない。
例えば、上記実施形態においては、図４（ａ）に示すようにヒンジ部７が縁の２辺で上部部材１と接する構成を例としたが、図４の（ｂ）や（ｃ）に示すように、ヒンジ部７と上部部材１とは、３辺以上で接していても良い。
このように、本発明は様々な変形が可能である。
【図面の簡単な説明】
【００２７】
【図１】本発明の好適な実施の形態にかかる撮影台の構成を示す図である。
【図２】本発明の好適な実施の形態にかかる撮影台の構成を示す図である。
【図３】ヒンジ部と上部部材との連結部の構造を示す図である。
【図４】ヒンジ部と上部部材との連結部の構造を示す図である。
【符号の説明】
【００２８】
１    上部部材
２    カメラ位置決め部材
３    レンズ用貫通穴
４    フラッシュ用貫通穴
５    カメラ凸部吸収用穴又は凹み
６    下部部材
７    ヒンジ
８    台紙部
９    位置決めマーク
１２    デジタルカメラ
【図１】
2006235498.tif 000003
【図２】
2006235498.tif 000004
【図３】
2006235498.tif 000005
【図４】
2006235498.tif 000006